(57)【要約】      （修正有）【課題】電子機器筐体の天面近傍の放熱性能を向上させ、且つ電子機器筐体へ到達する日射量を抑制する電子機器筐体の放熱構造を得る。【解決手段】電子機器筐体１の天面近傍に、縦方向に配列された複数の縦板２ａと横方向に配列された複数の横板２ｂとを相互に格子状に組み合わせて形成した日除け部材２を配置するように構成したことにより、電子機器筐体の天面近傍の放熱性能を向上させると共に、電子機器筐体へ到達する日射量を抑制した。【選択図】図１
2010141022.tif 000002
【特許請求の範囲】
【請求項１】
電子機器を収納する電子機器筐体の放熱構造において、
前記電子機器筐体の天面近傍に、縦方向に配列された縦板と横方向に配列された横板とを相互に格子状に組み合わせて形成した第１の日除け部材を配置したことを特徴とする電子機器筐体の放熱構造。
【請求項２】
電子機器筐体の側面近傍に第２の日除け部材を配置し、第１の日除け部材と前記第２の日除け部材を近接して配置したことを特徴とする請求項１記載の電子機器筐体の放熱構造。
【請求項３】
第１の日除け部材は、縦板および横板を電子機器筐体の天面に対して垂直に配置したことを特徴とする請求項１または請求項２記載の電子機器筐体の放熱構造。
【請求項４】
第１の日除け部材は、縦板および横板の少なくともいずれか一方を電子機器筐体の天面に対して傾斜させたことを特徴とする請求項１または請求項２記載の電子機器筐体の放熱構造。
【発明の詳細な説明】
【技術分野】
【０００１】
この発明は、屋外に配置される電子機器筐体の放熱構造に関するものである。
【背景技術】
【０００２】
屋外に配置される電子機器筐体は、自身の発熱に加えて太陽からの日射により外表面に受熱し筐体内の温度が上昇する。この日射による影響を軽減するために、従来電子機器筐体の周囲と天面に５０〜１５０ｍｍ離して日除け板を取り付けている。図６は、この日除け板を取り付けた従来の電子機器筐体の一例を示す図である。図６（ａ）は電子機器筐体の正面図、図６（ｂ）は電子機器筐体の側面図である。電子機器筐体１０の天面近傍に日除け板１１、側面近傍に日除け板１２ａ、正面および背面近傍に日除け板１２ｂ，１２ｃを配設している。これにより、太陽からの日射は日除け板１１，１２ａ，１２ｂ，１２ｃに当たり、電子機器筐体１０本体が直接加熱されるのを防ぐことができる。
【０００３】
また、電子機器筐体１０から５０〜１５０ｍｍの間隔を取って日除け板１１，１２ａ，１２ｂ，１２ｃを設置することによりこの隙間に空気が流れ、電子機器筐体１０および日除け板１１，１２ａ，１２ｂ，１２ｃを冷却することができる。この空気の流れは、屋外にて無風状態の場合は電子機器筐体１０自身の発熱により発生する自然対流によって起こり、風が吹いている場合は上述の自然対流に加えて風が流入することにより発生する。
【０００４】
この空気の取り入れ口および排出口を確保するため、隣り合う面の日除け板同士を密着させずに隙間を設けて設置する。通常は電子機器筐体１０の寸法と日除け板１１，１２ａ１２ｂ，１２ｃの寸法をほぼ同一寸法とし、電子機器筐体１０と日除け板１１，１２ａ，１２ｂ，１２ｃの隙間への空気の流入を妨げないようにするのが一般的である。
【０００５】
さらに、自然対流の状態において日除け板を設置していない場合では、電子機器筐体自身の発熱により温められた空気は、まず電子機器筐体側面を上昇し、その後天面に回り込み、天面において熱せられた空気の上昇気流と合流して天面中央付近から電子機器筐体を離れて上昇していく。これに対して日除け板を設けた電子機器筐体では、天面の日除け板がこの流れを遮断してしまい放熱性能が悪化する。この影響を緩和するために、天面の日除け板と電子機器筐体天面の距離を大きく確保することが多い。そのため、隣り合う面の日除け板同士の間には少なからず隙間が存在し、電子機器筐体に直接日射が到達してしまう。
【０００６】
また、日除け板自身も日射を受けると温度が上昇し、この熱は輻射によって電子機器筐体へ伝達されて電子機器筐体の温度を上昇させる。従って、日除け板自身の放熱性能も重要になるが、特に電子機器筐体の天面近傍の日除け板は、天面に対して水平に配置されるため、自然対流の効率が悪く放熱性能が劣るという問題があった。この対策として、特許文献１では、電子機器筐体の天面近傍の日除け板において、水平な平面から切り起こした通風用のスリットと当該スリット内への太陽日射を遮る日除け放熱フィンを設ける構造が開示されている。この構成により、電子機器筐体側面を上昇して天面に回り込んだ空気がある程度スリットから抜け、自然空冷時の空気の流れを改善する。
【０００７】
【特許文献１】特開平１１−１９０１１３号公報
【発明の開示】
【発明が解決しようとする課題】
【０００８】
従来の電子機器筐体の放熱構造は以上のように構成されているので、自然空冷時の空気の流れを改善することができるが、日除け板の強度確保のためにはスリット間に水平な平面部分を残す必要があり、スリットの開口率を大きく確保することができず、自然対流による上昇気流を妨げる部分が残存するという課題があった。また、スリットからの日射の入射を放熱フィンにより防ぐ構造を有しているが、当該放熱フィンの長手方向から日射が入射する場合には、この日射の進入を防ぐことができないという課題があった。
【０００９】
この発明は上記のような課題を解決するためになされたもので、電子機器筐体の天面近傍の放熱性能を向上させ、且つ電子機器筐体へ到達する日射量を抑制する電子機器筐体の放熱構造を得ることを目的とする。
【課題を解決するための手段】
【００１０】
この発明に係る電子機器筐体の放熱構造は、電子機器筐体の天面近傍に、縦方向に配列された縦板と横方向に配列された横板とを相互に格子状に組み合わせて形成した第１の日除け部材を配置するものである。
【発明の効果】
【００１１】
この発明によれば、電子機器筐体の天面近傍に、縦方向に配列された縦板と横方向に配列された横板とを相互に格子状に組み合わせて形成した第１の日除け部材を配置するように構成したので、電子機器筐体の天面近傍の放熱性能を向上させると共に、電子機器筐体へ到達する日射量を抑制することができる。
【発明を実施するための最良の形態】
【００１２】
実施の形態１．
図１はこの発明の実施の形態１に係る電子機器筐体の放熱構造を示す斜視図であり、図２は図１におけるａ−ａ線断面図である。
この実施の形態１の電子機器筐体の放熱構造は、電子機器筐体１の天面近傍に日除け部材（第１の日除け部材）２を配設している。日除け部材２は、縦方向に配列された複数の縦板２ａと横方向に配列された複数の横板２ｂとを相互に格子状に組み合わせて構成されている。各格子の形状は、図１に示す四角形以外にも、三角形、五角形、または六角形などで構成してもよい。いずれの格子形状においても、各格子の縦寸法と横寸法が近い値となるように構成する。
【００１３】
日除け部材２を構成する格子の最大間隔をａとし、日除け部材２の高さをｂとした場合、θ＝ｔａｎ-1（ｂ／ａ）の照射角度の太陽光を遮ることができる。各格子の縦寸法と横寸法をほぼ同一の値とすることにより、東、南および西というようにあらゆる角度からの日射を遮ることができる。また、日除け部材２の縦板２ａと横板２ｂは全て電子機器筐体１の天面に対して垂直に配置されることから、全ての縦板２ａおよび横板２ｂが自然空冷の放熱フィンとして機能し、放熱フィン面積を大きく確保することができる。
【００１４】
なお、この実施の形態１では電子機器筐体１の天面にのみ日除け部材２を配設し、側面には日除け部材を配設しない構成を示している。この側面に日除け部材を配設しない構成は、電子機器筐体１０の幅と奥行きに対して高さ方向の寸法が比較的小さい場合の適用が考えられる。また、日除け部材２のサイズは、電子機器筐体１とほぼ同じ幅および奥行き寸法が適当であるが、これよりも小さくても大きくても構わない。ただし、日除け部材２のサイズが電子機器筐体１よりも小さい場合には、電子機器筐体１本体へ到達する日射量が多くなり、日除けとしての効果が減少する。
【００１５】
次に、電子機器筐体１付近の空気の流れについて説明する。図２に示すように、電子機器筐体１の天面において熱せられた空気Ａは、自然対流により上昇しようとする。日除け部材２は厚さ方向で縦板２ａと横板２ｂが対峙するため、上下方向の空気の流れに対して流路の開口率を非常に大きく確保することができる。これにより、日除け部材２は空気Ａの上昇を妨害することなくスムーズに自然対流を形成することができる。
【００１６】
また、電子機器筐体１の側面を上昇し、電子機器筐体１の天面と日除け部材２との隙間に吸い込まれた空気Ａは、縦板２ａおよび横板２ｂで形成される各格子に分配されながら上昇する。これにより、渦などの発生を抑えてスムーズに移動可能な空気Ａの流れを形成することができる。
【００１７】
以上のように、この実施の形態１によれば、電子機器筐体１の天面近傍に、縦板２ａと横板２ｂを組み合わせた格子を有する日除け部材２を配置するように構成したので、自然対流の流れを妨害することなく電子機器筐体の天面からスムーズに空気が排気され、放熱性能が向上する。これにより、電子機器筐体自身の自然空冷による冷却性能を向上させることができる。
【００１８】
また、この実施の形態１によれば、格子状に組み合わせた日除け部材２の縦板２ａと横板２ｂを電子機器筐体１の天面に対して垂直に配置するように構成したので、縦板および横板が放熱フィンとして機能し、日除け部材の日射による温度上昇に対する冷却性能を向上させることができる。これにより、日除け部材の温度が低く抑えられ、日除け部材２から電子機器筐体１への輻射による熱移動が減少し、電子機器筐体の冷却性能向上につながる。
【００１９】
実施の形態２．
図３はこの発明の実施の形態２に係る電子機器筐体の放熱構造を示す斜視図であり、図４は図３におけるｂ−ｂ線断面図である。
この実施の形態２では、図１に示した実施の形態１の電子機器筐体の放熱構造の日除け部材２に加えて、電子機器筐体１の側面近傍に日除け部材を追加して設けている。なお、実施の形態１に係る電子機器筐体の放熱構造の構成要素と同一部分には、実施の形態１で使用した符号と同一の符号を付して説明を省略または簡略化する。
【００２０】
日除け部材（第２の日除け部材）３は、電子機器筐体１の４つの側面を覆うように配設されている。４面に配設された各日除け部材３は互いに隙間を設けることなく配置され、さらに電子機器筐体１の天面近傍の日除け部材２との間にも隙間を設けることなく配置している。日除け部材２を形成する縦板２ａおよび横板２ｂの構成は実施の形態１と同様である。
【００２１】
次に、電子機器筐体１付近の空気の流れについて説明する。図４に示すように、電子機器筐体１の側面近傍に日除け部材３を設けた場合にも、実施の形態１と同様に日除け部材２は上昇する空気Ａの流れを妨げることなくスムーズに排気する。従って、電子機器筐体１と日除け部材３との隙間を上昇した空気Ａは、電子機器筐体１の天面に回りこみ、天面において熱せられた空気Ａの上昇気流と合流して排気される。このように、自然対流の流れが妨げられることがなく、電子機器筐体１の天面近傍の日除け部材２と側面近傍の日除け部材３との間に自然空冷の排気を考慮した大きな隙間を設ける必要がなくなる。
【００２２】
以上のように、この実施の形態２によれば、電子機器筐体１の天面近傍に縦板２ａと横板２ｂを組み合わせた格子を有する日除け部材２、および電子機器筐体１の側面を覆う日除け部材３を配置するように構成したので、自然対流の流れを妨害することなく電子機器筐体の天面からスムーズに空気が排気され、放熱性能が向上する。これにより、電子機器筐体自身の自然空冷による冷却性能を向上させることができる。
また、放熱性能が向上することにより、電子機器筐体の天面近傍の日除け部材と側面近傍の日除け部材との間に大きな隙間を設けずに配置することができ、電子機器筐体に直接到達する日射量が抑制することができ、電子機器筐体の温度上昇を抑制することができる。
【００２３】
実施の形態３．
図５は、この発明の実施の形態３に係る電子機器筐体の放熱構造を示す断面図である。
この実施の形態３では、図４に示した実施の形態２の電子機器筐体の放熱構造の日除け部材の横板を傾けて取り付けている。なお、実施の形態２に係る電子機器筐体の放熱構造の構成要素と同一部分には、実施の形態２で使用した符号と同一の符号を付して説明を省略または簡略化する。
【００２４】
日除け部材２の横板２ｂ´は、図５に示すように北方向に傾けて配置している（ただし、北半球の場合）。なお、この横板２ｂ´と直交する縦板（図示せず）は、電子機器筐体１の天面に対して垂直となるように配置している。北半球においては、横板２ｂ´の傾き方向を北に向けて日除け部材２を配置することにより、太陽が南中して日射の入射角度が大きくなった場合でも電子機器筐体１へ到達する日射を遮断することができる。また、太陽が東、あるいは西に位置している場合には日射の入射角度が小さいため、電子機器筐体１の天面に対して垂直に配置した縦板により日射を遮断することができる。
【００２５】
以上のように、この実施の形態３によれば、日除け部材２の横板２ｂ´を北方向に傾けて配置するように構成したので、太陽の南中時の日射入射角度が大きい地域においても、電子機器筐体に到達する日射を確実に遮断することができる。
【００２６】
また、この実施の形態３によれば、日除け部材２の縦板を、傾斜させずに電子機器筐体１の天面に対して垂直に配置するように構成したので、入射角度が小さい日射も遮断することができる。
【００２７】
なお、上述した実施の形態３では、日除け部材２の横板２ｂ´を北方向に傾けて配置する構成を示したが、傾斜方向はこれに限定されるものではなく地域に応じて適宜変更可能である。
【図面の簡単な説明】
【００２８】
【図１】この発明の実施の形態１に係る電子機器筐体の放熱構造を示す斜視図である。
【図２】この発明の実施の形態１に係る電子機器筐体の放熱構造を示す断面図である。
【図３】この発明の実施の形態２に係る電子機器筐体の放熱構造を示す斜視図である。
【図４】この発明の実施の形態２に係る電子機器筐体の放熱構造を示す断面図である。
【図５】この発明の実施の形態３に係る電子機器筐体の放熱構造を示す断面図である。
【図６】従来の電子機器筐体の放熱構造を示す図である。
【符号の説明】
【００２９】
１，１０  電子機器筐体、２，３  日除け部材、２ａ  縦板、２ｂ，２ｂ´  横板、１１，１２ａ，１２ｂ，１２ｃ  日除け板。
【図１】
2010141022.tif 000003
【図２】
2010141022.tif 000004
【図３】
2010141022.tif 000005
【図４】
2010141022.tif 000006
【図５】
2010141022.tif 000007
【図６】
2010141022.tif 000008